(57)【要約】【課題】カメラ付き携帯電話機を使用する際に、適切でない角度からの撮影を未然に防ぎ、再発を防止すること。【解決手段】ローアングル撮影制御部３００内の処理部３０１は、筺体に取り付けた傾斜センサ１０５が検出した傾き角度αからカメラ１０４の光軸と水平面とのなす角度βを計測し、カメラの光軸と筺体とのなす角度γとの大小関係を調べる。カメラ制御部３０２は、角度βが角度γから判断して適切でないときは（β＜γ）、カメラ１０４の電源をオフとし、カメラ１０４を起動させないようにする。【選択図】      図３
2004363815.tif 000002
【特許請求の範囲】
【請求項１】
カメラ付き携帯電話機において、
筐体の傾きを検出する検出手段と、
検出された筺体の傾きからカメラの光軸と水平面とのなす角度を計測する計測手段と、
計測されたカメラの光軸と水平面とのなす角度と、カメラの光軸と筺体とのなす角度との大小関係からカメラの使用可・使用不可を判定し、カメラの使用不可が判定されたとき当該カメラの電源をオフする制御手段と、
を具備することを特徴とするカメラ付き携帯電話機。
【請求項２】
カメラ使用不可の判定がなされた場合、それを知らせる警告手段を具備することを特徴とする請求項１記載のカメラ付き携帯電話機。
【請求項３】
前記警告手段は、警告音を発生する発音手段、光を発生する発光手段、筐体を振動させる振動手段のいずれか一つ、またはこれらの組み合わせであることを特徴とする請求項２記載のカメラ付き携帯電話機。
【発明の詳細な説明】
【０００１】
【発明の属する技術分野】
本発明は、カメラ機能付き携帯電話機に関する
【０００２】
【従来の技術】
近年の携帯電話機は、音声通話機能のほかに、電子メールの送受信やインターネット接続というようなデータ通信の機能を内蔵したものがあり、また、それらを利用したサービスが広く普及している。そして、データ通信の速度が次第に速くなり、大量のデータの送受信が可能になると、携帯電話機にカメラ機能を設け、そのカメラで撮影した画像データを外部に送信するということが行われている。
【０００３】
一方、従来のカメラ付き携帯電話機では、盗撮を防止する手段として、撮影時にシャッター音の鳴る商品が提供されている。また、例えば、特許文献１では、筺体の傾きを検出し水平面からの角度に応じて、シャッター操作を無効にするという方法が開示されている。
【０００４】
【特許文献１】
特開２００２−２９０８１８号公報（００１２〜００１３、図２）
【０００５】
【発明が解決しようとする課題】
しかしながら、撮影時のシャッター音は人混みの中では聞き取り難いことから、不適切な使い方がされている場合があるという問題があった。また、特許文献１に記載の技術では、筺体の傾きがカメラのレンズの向く方向（光軸）と必ずしも直角ではないので、筺体の傾きによるカメラ制御には限界がある。
【０００６】
本発明は、かかる点に鑑みてなされたものであり、カメラの光軸と水平面とのなす角度を計測し、不適切な角度からの撮影を防ぐ機能を有するカメラ付き携帯電話機を提供することを目的とする。
【０００７】
【課題を解決するための手段】
本発明のカメラ付き携帯電話機は、カメラ付き携帯電話機において、筐体の傾きを検出する検出手段と、検出された筺体の傾きからカメラの光軸と水平面とのなす角度を計測する計測手段と、計測されたカメラの光軸と水平面とのなす角度と、カメラの光軸と筺体とのなす角度との大小関係からカメラの使用可・使用不可を判定し、カメラの使用不可が判定されたとき当該カメラの電源をオフする制御手段と、を具備する構成を採る。
【０００８】
この構成によれば、筺体の傾きからカメラの光軸と水平面とのなす角度を計測し、計測したカメラの光軸と水平面とのなす角度がカメラの光軸と筺体とのなす角度から判断して適切でないときは、カメラの電源をオフとし、カメラを起動させないようにすることができる。
【０００９】
本発明のカメラ付き携帯電話機は、上記の発明において、カメラ使用不可の判定がなされた場合、それを知らせる警告手段を具備する構成を採る。
【００１０】
この構成によれば、カメラ使用不可の判定がなされた場合、それを知らせることができる。
【００１１】
本発明のカメラ付き携帯電話機は、上記の発明において、前記警告手段は、警告音を発生する発音手段、光を発生する発光手段、筐体を振動させる振動手段のいずれか一つ、またはこれらの組み合わせであるという構成を採る。
【００１２】
この構成によれば、用途等に適合させた警告方法が採用できる。
【００１３】
【発明の実施の形態】
本発明の骨子は、カメラ付き携帯電話機を使用する際に、不適切な角度からの撮影を未然に防ぎ、再発を防止することである。
【００１４】
以下、本発明の実施の形態について、図面を参照して詳細に説明する。
【００１５】
（実施の形態１）
図１及び図２は、本発明の一実施の形態に係るカメラ付き携帯電話機の外観図である。なお、図１は、メインＬＣＤ側から見た外観図であり、図２は、サブＬＣＤ側から見た外観図である。
【００１６】
図１及び図２に示すように、本発明の一実施の形態に係る携帯電話機１００は、折り畳み式であって、上筺体１０１と下筐体１０２とで構成されている。図１は、広げた状態での正面側を示し、図２は広げた状態での背面側を示している。
【００１７】
図１に示すように、上筺体１０１にはメインＬＣＤ１０３が設けられ、その上部には、この発明に関わるものとしてカメラ１０４の他に、小型の傾斜センサ１０５が取り付けられている。また、下筐体１０２には、一般的な各種のキーが配置されている。
【００１８】
また、図２に示すように、上筺体１０１には、サブＬＣＤ１０６が設けられ、この発明に関わるものとしてＬＥＤ１０７、スピーカ１０８が配置されている。また、下筐体１０２にはこの発明に関わるものとしてバイブレータ１０９が配置されている。
【００１９】
ここで、傾斜センサ１０５は、この実施の形態では、上筺体１０１の長手方向の水平面からの傾斜を感知するように配置されている。そして、制御部の一つとして、図３に示すようなローアングル撮影制御部３００を内蔵している。
【００２０】
図３は、図１に示すカメラ付き携帯電話機１００が備えるローアングル撮影制御部３００の構成と動作を説明する制御系統図である。図３に示すように、ローアングル撮影制御部３００は、傾斜センサ１０５が検出した傾き角度αと、上筐体１０１とカメラ１０４の光軸とのなす角度γとから上筐体１０１の長手方向と水平面とのなす角度βを計算し、上筐体１０１とカメラ１０４の光軸とのなす角度γと求めた角度βとの大小関係を判定する処理部３０１と、処理部３０１での判定結果がβ＜γであるとき、カメラ１０４の使用不可を判定し、カメラ１０４の電源をオフする制御を行うカメラ制御部３０２とを備えている。
【００２１】
なお、カメラ制御部３０２は、カメラ１０４の電源をオフするときは、ＬＥＤ１０７やスピーカ１０８、さらにはバイブレータ１０９を使用して警報を発する制御も行うようになっている。
【００２２】
次に、図１〜図５を参照して、以上のように構成されるローアングル撮影制御部３００の動作について説明する。なお、図４は、カメラ使用可と判定する動作を説明する図である。図５は、カメラ使用不可と判定する動作を説明する図である。
【００２３】
図４、図５において、角度γは、上筐体１０１の長手方向とカメラ１０４の光軸４０１とのなす角度であり、カメラ１０４が上筐体１０１に固定されている場合は９０度である。
【００２４】
カメラ制御部３０２は、当該携帯電話機１００の待受処理のタイミング以外のときにおいて、カメラ１０４の起動スイッチがオンすると、間欠的に傾斜センサ１０５に対し傾き測定の命令を出す。傾斜センサ１０５にて検出された上筐体１０１の長手方向における傾き角度αが処理部３０１に入力される。
【００２５】
図４において、下筐体１０２が水平面４０２の面内に保持された状態では、上筐体１０１の長手方向は水平面４０２から角度４０３だけ持ち上げられた状態にある。この角度４０３が傾斜センサ１０５によって傾き角度αとして検出される。この状態において光軸４０１と水平面４０４とのなす角度４０５が処理部３０１にて求める角度βであるが、これは、角度γと傾き角度αとから求められる。次いで、処理部３０１では、角度βと角度γの大小関係を判断する。図４のケースでは、β≧γであるので、カメラ制御部３０２ではカメラ１０４の使用可が判断される。傾斜センサ１０５による検出動作が続行される。
【００２６】
また、図５において、下筐体１０２が水平面５０１に対し下端を上に向けて傾いて保持された状態では、上筐体１０１の長手方向は水平面５０１から角度５０２だけ下側に向いたいわゆるローアングル撮影の状態にある。この角度５０２が傾斜センサ１０５によって傾き角度αとして検出される。この状態において光軸４０１と水平面５０１とのなす角度５０３が処理部３０１にて求める角度βであるが、これは、角度γと傾き角度αとから求められる。次いで、処理部３０１では、角度βと角度γの大小関係を判断する。図５のケースでは、β＜γであるので、カメラ制御部３０２ではローアングル撮影と見なしてカメラ１０４の使用不可が判断され、カメラ１０４の電源をオフにする制御が行われる。
【００２７】
このとき、カメラ１０４が再起動された場合には、起動までに一定時間を要するように構成することができる。また、スピーカ１０８から警告音を発する、ＬＥＤ１０７を点滅させたり点灯させたりして警告を行う、バイブレータ１０９による振動を用いて警告を行う、の何れか一つ、またはこれらの組み合わせによる警告を行うことができるので、不適切な角度からの撮影を未然に防ぐことができ、また、再発を有効に防止することができる。
【００２８】
なお、上記実施の形態では、筺体に固定されたカメラを有するカメラ付き携帯電話機を説明したが、本発明はこれに限定されるものではない。例えば、回転式カメラを有するカメラ付き携帯電話機では、カメラ回転部に前記傾斜センサを配置すれば、同様に適用できる。
【００２９】
また、上記実施の形態では、折り畳み式のカメラ付き携帯電話機を説明したが、本発明はこれに限定されるものではない。例えばストレートタイプのカメラ付き携帯電話機にも同様に適用できる。
【００３０】
さらに、上記実施の形態では、一軸傾斜センサを用いて筺体の長手方向の傾きを検出するとして説明したが、本発明はこれに限定されるものではない。例えば、二軸傾斜センサを用いて、長手方向およびそれと直交する方向の傾きを検出し、どちらか一方でもカメラの光軸と水平面とのなす角βがγ未満であれば、カメラ使用不可の判定をすることができる。これによれば、一軸傾斜センサを用いた場合よりもカメラ使用可・不可の判断が正確にできるようになる。
【００３１】
加えて、上記実施の形態では、カメラが携帯電話機の前面に配置されている場合を説明したが、背面に配置されたカメラにおいても同様に適用可能であることは言うまでもない。
【００３２】
【発明の効果】
以上説明したように、本発明によれば、筺体の傾きからカメラの光軸と水平面とのなす角度を計測し、計測したカメラの光軸と水平面とのなす角度がカメラの光軸と筺体とのなす角度から判断して適切でないときは、カメラの電源をオフとし、カメラを起動させないようにすることができる。したがって、適切でない角度からの撮影を未然に防ぐことができ、再発も防ぐことができる。
【図面の簡単な説明】
【図１】本発明の一実施の形態に係るカメラ付き携帯電話機のメインＬＣＤ側から見た外観図
【図２】図１に示すカメラ付き携帯電話機のサブＬＣＤ側から見た外観図
【図３】図１に示すカメラ付き携帯電話機が備えるローアングル撮影制御部の構成と動作を説明する制御系統図
【図４】カメラ使用可と判定する動作を説明する図
【図５】カメラ使用不可と判定する動作を説明する図
【符号の説明】
１００  カメラ付き携帯電話機
１０１  上筺体
１０２  下筐体
１０３  メインＬＣＤ
１０４  カメラ
１０５  傾斜センサ
１０６  サブＬＣＤ
１０７  ＬＥＤ
１０８  スピーカ
１０９  バイブレータ
３００  ローアングル撮影制御部
３０１  処理部
３０２  カメラ制御部
４０１  カメラの光軸
４０２，４０４，５０１  水平面
４０３，５０２  水平面と上筺体とのなす角度（角度α）
４０５，５０３  カメラの光軸と水平面とのなす角度（角度β）
γ  カメラの光軸と上筺体とのなす角度（固定カメラの場合は９０°）
【図１】
2004363815.tif 000003
【図２】
2004363815.tif 000004
【図３】
2004363815.tif 000005
【図４】
2004363815.tif 000006
【図５】
2004363815.tif 000007